(57)【要約】【課題】商品の売り上げを向上させることができる商品販売システムを提供すること。【解決手段】本発明では、サーバーコンピューター（２）とクライアントコンピューター（３）とを電子通信回線網（４）を介して接続した商品販売システム（１）において、クライアントコンピューター（３）は、購入者に購入した商品の代金を支払う間隔（代金支払い間隔）を選択させ、その代金支払い間隔をサーバーコンピューター（２）に通知し、サーバーコンピューター（２）は、クライアントコンピューター（３）から通知された代金支払い間隔での請求書を作成することにした。また、クライアントコンピューター（３）は、購入者に応じて代金支払い間隔を選択できるようにした。さらに、クライアントコンピューター（３）は、購入者が年金を受給している者の場合に代金支払い間隔を年金が支給される月ごとの間隔とすることにした。【選択図】図２
2018028761.tif 000002
【特許請求の範囲】
【請求項１】
サーバーコンピューターとクライアントコンピューターとを電子通信回線網を介して接続した商品販売システムにおいて、
クライアントコンピューターは、購入者に購入した商品の代金を支払う間隔（代金支払い間隔）を選択させ、その代金支払い間隔をサーバーコンピューターに通知し、
サーバーコンピューターは、クライアントコンピューターから通知された代金支払い間隔での請求書を作成することを特徴とする商品販売システム。
【請求項２】
クライアントコンピューターは、購入者に応じて前記代金支払い間隔を選択できるようにしたことを特徴とする請求項１に記載の商品販売システム。
【請求項３】
クライアントコンピューターは、購入者が年金を受給している者の場合に前記代金支払い間隔を年金が支給される月ごとの間隔とすることを特徴とする請求項１又は請求項２に記載の商品販売システム。
【発明の詳細な説明】
【技術分野】
【０００１】
本発明は、サーバーコンピューターとクライアントコンピューターとを電子通信回線網を介して接続した商品販売システムに関するものである。
【背景技術】
【０００２】
近年、インターネットを代表とする電子通信回線網の普及により、サーバーコンピューターとクライアントコンピューターとの間での情報通信によって購入する商品やその代金の支払い方法などを決定することができるようになっている（たとえば、特許文献１参照。）。
【０００３】
たとえば、インターネット上の仮想店舗における商品販売システムでは、商品の販売をする者のコンピューターがサーバーコンピューターとなり、商品を購入する者のコンピューターがクライアントコンピューターとなる。そして、商品の購入者は、自身のコンピューター（クライアントコンピューター）を用いてサーバーコンピューターにアクセスし、クライアントコンピューター上で購入を希望する商品を選択した後に、その商品の代金の支払い方法を選択することができる。
【０００４】
また、実際の実在店舗における商品販売システムでは、商品の代金を請求する者のコンピューターがサーバーコンピューターとなり、商品を販売する者のコンピューターがクライアントコンピューターとなる。そして、商品を販売する者は、商品が購入された場合に自身のコンピューター（クライアントコンピューター）を用いてサーバーコンピューターにアクセスし、購入者が希望する商品の支払い方法をクライアントコンピュータ上で選択することができる。
【０００５】
この従来の商品販売システムでは、商品の代金の支払い方法として、現金又はクレジットによる一括払い又は分割払いを選択することができる。
【先行技術文献】
【特許文献】
【０００６】
【特許文献１】特開２００３−１９６５５０号公報
【発明の概要】
【発明が解決しようとする課題】
【０００７】
ところが、上記従来の商品販売システムでは、商品の代金の支払い方法として、一括払い又は分割払いといった支払いの回数を選択することができるものの、分割払いの場合の代金を支払う間隔については固定されており購入者が選択する余地がなかった。
【０００８】
そのため、購入者にとっては、給料や報酬や年金などの収入がある間隔と商品の代金を支払う間隔とが異なる場合には、商品の購入を躊躇せざるを得なかった。特に、日常生活に不安を抱くことの多い年金を受給する高齢者には顕著であった。
【０００９】
これにより、上記従来の商品販売システムでは、商品の売り上げが抑制されてしまうおそれがあった。
【課題を解決するための手段】
【００１０】
そこで、請求項１に係る本発明では、サーバーコンピューターとクライアントコンピューターとを電子通信回線網を介して接続した商品販売システムにおいて、クライアントコンピューターは、購入者に購入した商品の代金を支払う間隔（代金支払い間隔）を選択させ、その代金支払い間隔をサーバーコンピューターに通知し、サーバーコンピューターは、クライアントコンピューターから通知された代金支払い間隔での請求書を作成することにした。
【００１１】
また、請求項２に係る本発明では、前記請求項１に係る本発明において、クライアントコンピューターは、購入者に応じて前記代金支払い間隔を選択できるようにすることにした。
【００１２】
また、請求項３に係る本発明では、前記請求項１又は請求項２に係る本発明において、クライアントコンピューターは、購入者が年金を受給している者の場合に前記代金支払い間隔を年金が支給される月ごとの間隔とすることにした。
【発明の効果】
【００１３】
そして、本発明では、以下に記載する効果を奏する。
【００１４】
すなわち、本発明では、購入者が購入した商品の代金を支払う間隔（代金支払い間隔）を選択することができるので、代金支払い間隔を購入者の収入（給料や報酬や年金など）がある間隔と合わせることができ、幅広い購入者が安心して商品を購入することができる。
【００１５】
これにより、本発明では、商品販売システムによる商品の売り上げを向上させることができる。
【図面の簡単な説明】
【００１６】
【図１】本発明に係る商品販売システムのハードウェア構成を示す説明図。
【図２】本発明に係る商品販売システムのソフトウェア構成を示す説明図。
【発明を実施するための形態】
【００１７】
以下に、本発明に係る商品販売システムの具体的な構成について図面を参照しながら説明する。
【００１８】
図１に示すように、商品販売システム１は、サーバーコンピューター２とクライアントコンピューター３とが電子通信回線網４を介して接続されている。なお、サーバーコンピューター２やクライアントコンピューター３は、デスクトップ型コンピューターやノートブック型コンピューターやタブレット・スマートフォン等の携帯端末型コンピューターなどの各種形態のコンピューターが用いられる。また、電子通信回線網４は、電話回線網やインターネット回線網などの各種形態の通信回線網が用いられる。
【００１９】
商品販売システム１は、たとえばインターネット上の仮想店舗においては、サーバーコンピューター２が商品の販売をする者であって商品の請求をもする者（仮想店舗等）のコンピューターに該当し、クライアントコンピューター３が商品を購入する者のコンピューターに該当する。そして、商品の購入者は、自身のコンピューター（クライアントコンピューター３）を用いてサーバーコンピューター２にアクセスし、クライアントコンピューター３上で商品やその商品の代金の支払い方法を自ら選択する。
【００２０】
また、商品販売システム１は、たとえば実際の実在店舗においては、サーバーコンピューター２が商品の代金を請求する者（クレジット会社等）のコンピューターに該当し、クライアントコンピューター３が商品を販売する者（実在店舗等）のコンピューターに該当する。そして、商品を販売する者は、商品が購入された場合に自身のコンピューター（クライアントコンピューター３）を用いてサーバーコンピューター２にアクセスし、購入者が希望する商品の支払い方法をクライアントコンピュータ３上で選択する。
【００２１】
すなわち、仮想店舗等では、サーバーコンピューター２は、販売する複数の商品の価格や仕様などのデータ（商品データ）をクライアントコンピューター３に送信する。
【００２２】
クライアントコンピューター３は、サーバーコンピューター２から送信された商品データをモニタ上に表示する。
【００２３】
商品の購入者は、クライアントコンピューター３を操作して、複数の商品から購入を希望する商品を選択し、購入を決定する。
【００２４】
一方、実在店舗等では、商品の購入者は、陳列された複数の商品から購入を希望する商品を選択し、購入を決定する。実在店舗等では、クライアントコンピューターを操作して、購入者が購入を希望する商品に関するデータ（購入商品データ）を入力する。なお、仮想店舗等では、購入者がクライアントコンピューター３を操作して購入を希望する商品を選択した時点でその商品に関するデータを購入商品データとすればよい。
【００２５】
そして、仮想店舗及び実在店舗では、クライアントコンピューター３を操作して、商品の購入者の氏名や住所や年齢などのデータ（購入者データ）を入力し、クライアントコンピューター３が、購入者データをサーバーコンピューター２に送信する。
【００２６】
サーバーコンピュータ２は、クライアントコンピューター３から送信された購入者データをメモリに記憶する。
【００２７】
購入商品データについても同様に、クライアントコンピューター３がサーバーコンピューター２に送信し、サーバーコンピューター２がメモリに記憶する。
【００２８】
その後、クライアントコンピューター３は、購入者に対して商品の代金の支払い方法を選択させる。支払方法としては、現金による一括払い又は分割払い、クレジットによる一括払い又は分割払いなどがある。
【００２９】
ここまでは、従来の商品販売システムと同様であるが、本商品販売システムでは、図２に示すように、購入者が支払方法として現金による分割払いを選択した場合に、クライアントコンピューター３は、購入者に商品の代金の支払い間隔（代金支払間隔）を選択させる。
【００３０】
代金支払間隔としては、通常の１カ月間隔に加えて、１週間間隔、２カ月間隔などであり、複数の間隔を提示して購入者に選択させてもよく、購入者が指定するようにしてもよい。なお、代金の支払いを開始する日や週や月なども選択できるようにする。これにより、たとえば年金を受給する者が購入者の場合には、年金が支給される月（偶数月）に２カ月間隔で支払いを行うことができるようになる。
【００３１】
クライアントコンピューター３は、全ての購入者に対して代金支払間隔を選択できるようにしてもよく、また、購入者の年齢や職業や収入形態などの購入者データに応じて、代金支払間隔を選択できるようにしたり、或は選択できる種類を変えるようにしてもよい。たとえば、購入者の年齢が年金を受給できる年齢に達している場合や購入者の収入形態が年金の受給の場合には、２カ月間隔で直近の偶数月から支払いを開始することを選択できるようにしてもよい。
【００３２】
クライアントコンピューター３は、支払方法や代金支払間隔に関するデータ（支払方法データや代金支払間隔データ）をサーバーコンピューター２に送信し、サーバーコンピューター２がメモリに記憶する。なお、代金支払間隔データには、代金の支払いを開始する日等に関するデータも含まれる。
【００３３】
そして、サーバーコンピューター２は、メモリに記憶した購入者データ、購入商品データ、支払方法データ、代金支払間隔データに基づいて、代金の支払いを開始する日等から代金支払間隔で前もって請求書を作成する。その請求書は購入者の住所に郵送される。なお、請求書は、支払日ごとに前もって郵送してもよく、全ての請求書を一括して最初に郵送してもよい。
【００３４】
以上に説明したように、上記商品販売システム１は、サーバーコンピューター２とクライアントコンピューター３とを電子通信回線網４を介して接続し、クライアントコンピューター３が、購入者に購入した商品の代金を支払う間隔（代金支払い間隔）を選択させ、その代金支払い間隔をサーバーコンピューター２に通知し、その後、サーバーコンピューター２が、クライアントコンピューター３から通知された代金支払い間隔での請求書を作成する構成となっている。
【００３５】
特に、クライアントコンピューター３は、購入者に応じて代金支払い間隔を選択できるようにし、購入者が年金を受給している者の場合には代金支払い間隔を年金が支給される月ごとの間隔とする構成となっている。
【００３６】
そのため、上記構成の商品販売システム１では、購入者が購入した商品の代金を支払う間隔（代金支払い間隔）を選択することができるので、代金支払い間隔を購入者の収入（給料や報酬や年金など）がある間隔と合わせることができ、幅広い購入者が安心して商品を購入することができる。これにより、上記商品販売システム１では、商品の売り上げを向上させることができる。
【符号の説明】
【００３７】
１  商品販売システム                        ２  サーバーコンピューター
３  クライアントコンピューター              ４  電子通信回線網
【図１】
2018028761.tif 000003
【図２】
2018028761.tif 000004